Podtech/llm-jp-corpus-v4-ja_patent huggingface dataset:
(57)【要約】      （修正有）【課題】寒冷地での冬期間の戸外活動時、被ってる帽子類などに簡単に装着使用できる構造で、露出している顔面を寒風、風雪を遮蔽する顔面ゴ−グルの提供。【解決手段】顔面ゴ−グル１は軽量で柔軟透明なＰＥＴ樹脂の材質で面積は人の顔面を覆う大きさの横長で、４隅はＲ形状にカットされた変形楕円の形状をしており、左右上端に、装着する帽子の下端、又は縁に固定支持できる挟み力を持ったクリップバンド３が其々取り付けられ、顔面ゴ−グルが下がらないよう中央上端に、ストッパ−２が取り付けられた構成の帽子に装着できる顔面用ゴ−グル１である。【選択図】図１
0003140725.tif 000002
【実用新案登録請求の範囲】
【請求項１】
透明で軽量柔軟なＰＥＴ樹脂製の材質で出来た顔面用ゴ−グル（１）には左右上端に帽子の下端、又は縁に取り付ける（３）クリップバンドが各々結束され（１）の顔面用ゴ−グル中央上端にズリ防止用用の、（２）ストッパ−が付いている構造で構成された軽便な帽子に装着する顔面用ゴ−グルである。
【考案の詳細な説明】
【考案の詳細な説明】
【技術分野】
【０００１】  本考案は寒冷地における戸外活動やウォ−キング等で帽子等に装着できることにより冷たい寒風や風雪から顔面を保護防寒し、視界を確保することにより、冬期の戸外活動を安全快適に行い、ライフスタイルの向上に関するものである。
【背景技術】
【０００２】  スポ−ツ用、産業用やバイク用など目的に応じた市販のゴ−グルは多種多様あるが寒冷地における適切なゴ−グルは無く、一般的な戸外活動やウォ−キングなどでは併用できず、防寒や風雪防止としての着用は奇異に感じたり仰々しい体裁や構造の為、使われることはない。したがって冬期の寒冷地では戸外活動やウォ−キング等など、この種の軽便な顔面用ゴ−グルが無いことから不便を余儀なくされている。
【考案が解決しようとする課題】
【０００３】  本考案は寒冷地での冬期間の戸外活動時、被ってる帽子類などに簡単に装脱着できる構造や軽量で奇異に感じない外観デザインにより、露出している顔面を寒風、風雪を顔面ゴ−グルで遮蔽し、防寒と良好な視界を確保し冬期の戸外活動などの活性化を課題とする。
【課題を解決するための手段】
【０００４】  上述目的を達成するために、本考案における帽子に装着する顔面用ゴ−グルは軽量で柔軟透明なＰＥＴ樹脂製で、ほぼ顔面を覆う横長で４隅はＲ形状にカットされた変形楕円形状で、左右上端には帽子下端、又は縁に挟み込むクリップバンドが其々取り付けられており、中央上端には顔面用ゴ−グルが下方にズレないようにストッパ−が取り付けられている構造である。  これにより手持ち帽子に簡単に装着でき、寒冷地において顔面が寒風、風雪などから直接晒されることがなくなり防寒効果と良好な視界が得れる。
【考案を実施するための最良の形態】
【０００５】  考案の実施の形態について図面を参照して説明する。
図１顔面ゴ−グルは軽量で柔軟透明なＰＥＴ樹脂の材質で面積は人の顔面を覆う大きさの横長で、４隅はＲ形状にカットされた変形楕円の形状をしており、左右上端に、装着する帽子の下端、又は縁に固定支持できる挟み力を持った、図３クリップバンドが其々取り付けられ、図１顔面ゴ−グルが下がらないよう、中央上端に、図２のストッパ−が取り付けられている形態である。
【考案の効果】
【０００６】  本考案は上述のとうり構成されているので次に記載する効果を奏する。
【０００７】  本考案は寒冷地での冬期間の戸外活動時、被ってる帽子類などに簡単に装着できる構造により露出している顔面が寒風、風雪から晒されることはなくなり、防寒効果と良好な視界を確保し冬期の戸外活動やウォ−キングなどのライフスタイルの活性化に効果を有する。
【０００８】  アノラックの顔部分や、ツバの無い形状の帽子でも装着使用できるように、図２のストッパ−に安全ピンを連結装備することにより、どんな帽子でも装着可能になって汎用性が高まり経済的である。
【図面の簡単な説明】
【図１】  本考案の上部斜め側面部からみた図である。
【符号の説明】
１  顔面用ゴ−グル
２  ストッパ−
３  クリップバンド
【図１】
0003140725.tif 000003
(57)【要約】      （修正有）【解決手段】歯ブラシ本体のエラストマー部１が、歯ブラシ本体のｐｐ部２と、歯ブラシホルダー／コップへ定着される脚部３と、歯ブラシホルダー／コップと歯ブラシ本体の定着用脚部との接触面と、歯ブラシ首部を形成するｐｐ製ブリッジ６と、歯ブラシ首部を形成するｐｐ製ブリッジ６を支持するエラストマーセクション７からなる溝穴付き歯ブラシの本体および首部。【効果】歯ブラシのヘッドを回転軸中心に前後左右へ動かすことにより、歯はより清潔になり、歯肉の変質がより少なくなる。歯ブラシは、接触物がなにもない状態で歯ブラシホルダー／コップの縁部に固定される。【選択図】図４
0003140756.tif 000002
【実用新案登録請求の範囲】
【請求項１】
本考案は、歯ブラシ本体のエラストマー部（１）が、前記歯ブラシ本体のｐｐ（ポリプロピレン）部（２）と、歯ブラシホルダー／コップ（４）へ定着される前記歯ブラシ本体の脚部（３）と、歯ブラシホルダー／コップ（４）と歯ブラシ本体の定着用脚部との接触面（５）と、歯ブラシ首部を形成するｐｐ製ブリッジ（６）と、歯ブラシ首部を形成するｐｐ製ブリッジを支持するエラストマーセクション（７）からなることを特徴とする、溝穴付き歯ブラシの本体および首部。
【請求項２】
溝穴を介して２つの部分に分かれる本体により歯ブラシホルダー／コップ（４）へ定着される脚部（３）が含まれることを特徴とする、請求項１に記載の溝穴付き歯ブラシの本体および首部。
【請求項３】
円柱形の歯ブラシホルダー／コップ（４）に接続され、固定されることにより歯ブラシホルダー／コップ（４）へ定着される脚部（３）の前記接触面（５）に設置されるエラストマー（１）セクションを有することを特徴とする、請求項１に記載の溝穴付き歯ブラシの本体および首部。
【請求項４】
前記首部に溝穴を付けることにより形成され、前記首部の軸で左右方向への歪曲動作を可能にする２つのブリッジ（６）を有することを特徴とする、請求項１に記載の溝穴付き歯ブラシの本体および首部。
【請求項５】
前記ブリッジ（６）を支持し、ｐｐ製ブリッジを取り囲み、前後動作も促進するエラストマー（７）を有することを特徴とする、請求項１に記載の溝穴付き歯ブラシの本体および首部。
【考案の詳細な説明】
【技術分野】
【０００１】
本考案は、歯ブラシ本体のエラストマー部（１）が、歯ブラシ本体のｐｐ部（２）と、歯ブラシホルダー／コップへ定着される脚部（３）と、歯ブラシホルダー／コップ（４）と歯ブラシ本体の定着用脚部との接触面と、歯ブラシ首部を形成するｐｐ製ブリッジ（６）と、歯ブラシ首部を形成するｐｐ製ブリッジを支持するエラストマーセクション（７）からなることを特徴とする、溝穴付き歯ブラシの本体および首部に関する。
【０００２】
歯ブラシのヘッドを回転軸中心に前後左右へ動かすことにより、歯はより清潔になり、歯肉の変質がより少なくなる。歯ブラシは、接触物がなにもない状態で歯ブラシホルダー／コップ（４）の縁部に固定される。
【背景技術】
【０００３】
現在市販されている歯ブラシは一体型の本体からなり、歯ブラシホルダーまたはコップ（４）の内部に入れることにより保管される。これは歯ブラシのヘッドセクションの接触を起因とする衛生上の問題をもたらす。その上、現在市販されている歯ブラシの首部は、一方向へ伸展するモデルを含むのみである。前後左右への伸展動作は不可能である。
【考案の開示】
【０００４】
対象生成物の範囲内では、歯ブラシのハンドルに溝穴が形成され、本体は２つの対称部分に分かれる。このように歯ブラシを歯ブラシホルダー／コップ（４）に掛けることができるため、歯ブラシのヘッド部が歯ブラシホルダー／コップ（４）に接触する可能性はほとんどなくなる。さらに、歯ブラシ首部に溝穴が形成され、平行する２つのｐｐ製ブリッジ（６）により本体とヘッドの接続が可能になる。ブラッシング時にかかる圧力の結果として、体軸で左右に曲がることにより、この２つのブリッジ（６）はヘッドに支持されるヘアにより引き起こされかねない歯肉へのダメージを低減する。歯ブラシ本体は二重射出により製造され、ｐｐとエラストマーセクション（１、２）からなる。
【０００５】
歯ブラシの歯ブラシホルダー／コップ（４）への固定は、本体に形成される溝穴により２つの保持用脚部（３）を作成することで可能になる。この保持用脚部（３）と歯ブラシホルダー／コップ（４）との接触面（５）に設置されるエラストマーセクション（１）と、歯ブラシホルダー／コップ（４）の円柱形状により歯ブラシの横すべりが回避される。
【０００６】
さらに、歯ブラシ首部は、溝穴を介して本体とヘッドを接続するｐｐセクションを分離することにより得られる２つのブリッジ（６）からなる。ｐｐ材料で作製されるこの首部は、この溝穴を介してよりフレキシブルな２つのブリッジ（６）に分離される。また、ｐｐ製ブリッジ間に二重射出によるエラストマー支持部（７）が可能となり、ｐｐ製ブリッジを取り囲むエラストマーセクションにより前後動作が促進され得る。
【図面の簡単な説明】
【０００７】
本考案の歯ブラシ本体は、以下の添付図面において示される。
【図１】歯ブラシの様々な背面図。
【図２】歯ブラシの様々な前面図。
【図３】歯ブラシの様々な側面図。
【図４】歯ブラシの様々な３Ｄ図。
【図５】コップ上の歯ブラシの３Ｄ図。
【図６】コップ上の歯ブラシ本体の前面図。
【図７】歯ブラシ本体とコップ間の接触部図。
【符号の説明】
【０００８】
図では下部に以下の通り番号を振る。
（１）歯ブラシ本体のエラストマーセクション
（２）歯ブラシ本体のｐｐセクション
（３）歯ブラシホルダー／コップ上の歯ブラシ本体の保持用脚部
（４）歯ブラシホルダー／コップ
（５）歯ブラシホルダー／コップ上の歯ブラシ本体の保持用脚部の接触面
（６）歯ブラシ首部を形成するｐｐブリッジ
（７）歯ブラシ首部を形成するブリッジを支持するエラストマーセクション
【図１】
0003140756.tif 000003
【図２】
0003140756.tif 000004
【図３】
0003140756.tif 000005
【図４】
0003140756.tif 000006
【図５】
0003140756.tif 000007
【図６】
0003140756.tif 000008
【図７】
0003140756.tif 000009
(57)【要約】【課題】シャワー停止後にシャワー管から排水をして、不快な水滴を防止する水栓【解決手段】給水給湯管７を備えた可動性の内筒６とシャワー管３と蛇口５を備えた固定された外筒２から成る水栓において、シャワー停止時にシャワー根元から二股に分岐させた排水管４から排水することにより水滴を防止するものである。内筒６や外筒２に水が溜まることが無いように、外筒２はシャワー管から分岐した排水管４に合う位置とその真下の下面に排水口１３を設け、内筒６は前記二つの排水口に合う位置に適切な窪み１２を設けた、シャワー停止後の水滴防止水栓。【選択図】    図１
0003140329.tif 000002
【実用新案登録請求の範囲】
【請求項１】
給水給湯管を備えた可動性の内筒と蛇口及びシャワー管を備えた固定された外筒から成り内筒は外筒に対して、給水給湯管が蛇口に連通した蛇口使用位置と、給水給湯管がシャワー管に連通したシャワー使用位置と、いずれにも遮断された中立位置との間で回転可能であるシャワー水栓において、
シャワー管根元部分から二股部分を分岐させ、前記分岐部分は、内筒がシャワー管連通位置にあるときは内筒の対向面により閉塞されるが、内筒が少なくとも中立位置にあるときは開放されシャワー管が排水される、シャワー停止後の水滴防止水栓。
【請求項２】
前記内筒が中立位置で内筒や外筒に水が貯まること無くシャワー管の水が一定の場所に排水されるよう内筒に適切な窪みを設け、排水時に、排水管と外筒上の排水口と内筒の窪みと外筒下面の排水口と連通される、請求項１記載のシャワー停止後の水滴防止水栓。
【考案の詳細な説明】
【技術分野】
【０００１】
本考案はシャワー停止時にシャワー管の水を速やかに抜き、不快な水滴を防止する水栓である。
【背景技術】
【０００２】
分野は全く違うが、医療用の吸引器の管は、先端と途中に穴が開いており、吸引のスイッチを入れただけでは、途中の穴から空気が入り目的のものが吸引できない。この途中の穴を適時に塞ぐことにより目的のものを吸引できる。これと逆に水や湯を出すのがシャワーであるが、途中に穴があるとシャワーにならない。シャワー使用時に穴を塞ぎ、シャワー不使用時には穴を開け排水する。
【特許文献１】特開平０８−２２８９５５号
【特許文献２】特開２０００−３０９９６１号
【考案の開示】
【考案が解決しようとする課題】
【０００３】
シャワー使用後シャワーヘッドをフックに掛けると水滴が落下、浴室等の掃除が煩雑になるとともに、浴室等の湿気でカビが発生しやすくなる。シャワー使用後の水滴を防止する事を目的する。
【課題を解決するための手段】
【０００４】
そこで本考案は以上の課題を解決すべく、シャワー停止時にシャワー管内の水を速やかに抜く、水滴を防止する水栓を提供することを目的とした。
【０００５】
本考案は、給水給湯管を備えた可動性の内筒と蛇口及びシャワー管を備えた固定された外筒からなり、内筒は外筒に対して給水給湯管が蛇口に連通した蛇口使用位置と給水給湯管がシャワー管に連通したシャワー使用位置といずれにも遮断された中立位置との間で回転可能であるシャワー水栓においてシャワー管根元部分から二股部分を分岐させて、シャワー停止時の排水管とした。
【０００６】
外筒には蛇口とシャワー管を備えたているが上記のシャワー管から二股に分岐した排水管に合う位置とその真下の外筒下面に排水口を設けた。
【０００７】
シャワー管からの排水を水栓内に溜めぬよう内筒には上記二つの排水口に合う位置に適切な深さの窪みを設けた。
【０００８】
シャワー管から分岐した排水管、外筒排水口、内筒の窪み、外筒下面の排水口を水栓中立位置で連通させることでシャワー管内の排水を行う。シャワー使用時は排水口は内筒の対向面により閉塞される。蛇口使用時は排水口は開閉どちらでもよい。
【考案の効果】
【０００９】
本考案に係るシャワー使用後の水滴防止水栓の効果は浴室等の掃除を楽にさせると供に湿気を減少させ黴の発生を抑制する効果も期待できる。また、冬季など気温の低い時には最初にシャワーから出る水は冷たいが、この冷たい水を少なくする事が出来、本考案により快適な生活が期待できる。
【実施例】
【００１０】
以下に本考案に係るシャワー停止後の水滴防止水栓の実施例を図１図２に基づいて説明する。図１はシャワー停止後の水滴防止水栓の水流切り替え部分である。この状態はシャワー管３からの排水時である。給水給湯管吐出口８は外筒内面により閉じており、どこにもつながっていない。シャワー管３シャワー管から分岐した排水管４外筒上の排水口１１内筒の窪み１２外筒下面の排水口１３が連通されておりシャワー管から排水された状態である。
【００１１】
図２はシャワー停止後の水滴防止水栓の水流切り替え部分の模式図の断面である。Ａはシャワー使用時の状態で、給水給湯管７給水給湯管吐出口８シャワー管３と連通されている。シャワー管から分岐した排水管４は外筒上の排水口１１が内筒外面により閉じており排水できない。Ｂはシャワー、蛇口ともに不使用時の状態で、給水給湯管７は外筒内面で閉じており、どこにも接続されていない。シャワー管より排水されるよう、シャワー管３シャワー管から分岐した排水管４外筒上の排水口１１内筒の窪み１２外筒下面の排水口１３と連通されている。Ｃは蛇口使用時の状態で、給水給湯管７給水給湯管吐出口８蛇口５と連通されている。
【００１２】
以上の実施例は丸い筒状の水栓であるが、直線等のものでも他の形でも応用可能である。排水口や排水管の形状は図にもあるように扁平なものが排水しやすい。外筒下面の排水口には管を接続し、直接排水して浴室等の床を汚すことがないようにも出来る。
【図面の簡単な説明】
【００１３】
【図１】シャワー使用後の水滴防止水栓の水流切り替え部分の概略斜視図
【図２】上記水栓の水流切り替え部分の模式図の断面    Ａシャワー使用時                          Ｂシャワー蛇口ともに不使用時    Ｃ蛇口使用時
【符号の説明】
【００１４】
１      シャワー使用後の水滴防止水栓
２      外筒
３      シャワー管
４      シャワー管から分岐した排水管
５      蛇口
６      内筒
７      給水給湯管
８      給水給湯管吐出口
１１    外筒上の排水口
１２    内筒の窪み
１３    外筒下面の排水口
【図１】
0003140329.tif 000003
【図２】
0003140329.tif 000004
(57)【要約】      （修正有）【課題】指先の感覚で作業が出来、尚且つ、作業効率を高める事の出来る研磨パットを提供する。【解決手段】厚さ１．５ｍｍ直径３２ｍｍの弾性材１の片面に、面ファスナー雌２を、反対面に二つ折りにした厚さ０．３ｍｍの樹脂板３と半円状の面ファスナー雄４を固着した研磨パット。【選択図】図１
0003140399.tif 000002
【実用新案登録請求の範囲】
【請求項１】
円板状弾性材の片面に研磨シート・艶出しシートに貼られた面ファスナの相手側となる面ファスナを貼り付け、円板状弾性材の反対側の面には、中心線付近に薄い樹脂板を、円板の半径位の高さに立ち上げ、その板を指先で挟む、あるいは摘んで使用する研磨用パット。
【考案の詳細な説明】
【技術分野】
【０００１】  本考案は、金属その他の加工面や塗装面等の直径３ｍｍ程度以下の局所を研磨、艶出しの際に使用される、研磨パットに関する。
【背景技術】
【０００２】  従来、研磨、艶出し作業において、極めて狭い範囲を研磨、艶出しする場合、直径３０ｍｍ位の円柱状パットの平面部に、研磨シート、あるいは艶出しシートを、粘着剤により貼付けて使用していた。
この場合、円柱状パット平面内で力の加わる場所が一定しないため円柱状パット直径の２倍位の面積を研磨する等余分な作業をする事になる。
また、研磨シート、艶出しシートには粘着剤が付いているため、使用済みの研磨シート等を円柱状パットから剥がした後床に落としてしまうと、床や靴の裏に張り付いてしまう。
【考案の開示】
【考案が解決しようとする課題】
【０００３】  指先の感覚で作業出来、粘着剤を使わずに研磨シート、艶出しシートを取り付けられる研磨パットを提供することを目的とした。
【課題を解決するための手段】
【０００４】  本考案においては、直径３２ｍｍの円板状弾性材の片面に面ファスナの雌を貼り付け、反対側の面には、厚さ０．３ｍｍの同じ径の樹脂材を中心線上で、２つ折りにし、半円部分のみ貼り付け、取っ手とする。残りの半円部に面ファスナの雄を貼り付ける。
【考案実施の形態】
【０００５】  本考案は、金属その他の加工面や塗装面等の局所の研磨、艶出しのための作業用具として使用する。
【実施例】
【０００６】  図１において、厚さ１．５ｍｍ直径３２ｍｍの弾性板（１）の片面に面ファスナー雌（２）を固着させ、反対側の面には、厚さ０．３ｍｍで弾性板（１）と同じ径の樹脂板（３）を中心線上で二つ折りにし、半円のみを弾性板（１）の外周に合わせて固着させる。
弾性板（１）の、のこりの半円部には同形状の面ファスナー雄（４）を固着する。
面ファスナー雌（２）へ、研磨シートの裏面に面ファスナー雄が固着された研磨シート（５）を取り付ける。
全体の厚さが約４ｍｍと薄く、使用している各材料自体も柔らかいため、しなやかである。
図３および図４において、樹脂板（３）の立ち上がり半円部を指先２本で挟み、指先腹部で被研磨部に押し付けて研磨する。
このため、従来の円柱状パット（６）では出来なかった、指先で被研磨部に押し付ける事が出来るため、指先の感覚で研磨する事が可能となる。
凹凸曲面においても、研磨シート（５）を曲面に倣い、面で当接させる事ができる。特に凹曲面において曲面半径の小さな部分に対しては、従来の円柱状パット（６）では、エッジ部分しか当接させる事が出来ない。
又、研磨シートは一度で使いきるものではないため、従来の粘着式研磨シート（７）では作業服等に貼り付けて持ち歩いているのであるが、粘着性のため剥がれ落ちる事が多々ある。
本考案による研磨パットでは、作業服や作業ズボン、作業帽子等の一部に、面ファスナー雌を縫い付ける等により取り付けておけば、樹脂板（３）を折りたたみ、面ファスナー雄（４）を貼り付けて持ち歩く事が出来る。
面ファスナーの結合力は、ほとんど経年変化しないので何回脱着を繰返しても落ちる事はない。
【考案の効果】
【０００７】  本考案は前記の様に、従来の円柱状パットに比べ、被研磨部に対して指先で直接押し付ける事が出来るため、余分な研磨面積が縮小する。
このため、再仕上げも、より少ない面積ですます事ができる事になり全体の作業効率が大幅に上昇する。
又、従来の粘着式研磨シートでは、作業服等に貼り付けて持ち歩いているうちに剥がれ落ちる事が多々あり、床に落ちた研磨シートをさらに踏みつけ取れにくくなり、環境上好ましくないが、本考案による研磨パットでは、その使用する研磨シートが面ファスナーの結合により、落ちる事も殆どなく、また落ちても粘着剤がないので清掃も容易である。
【図面の簡単な説明】
【図１】  本考案による研磨パットの側面断面図。
【図２】  本考案による研磨パットの平面図。
【図３】  研磨パットを指先で挟んだ状態を説明する図
【図４】  従来の円柱状パットを掴んだ状態を説明する図
【符号の説明】
１  弾性板
２  面ファスナー雌
３  樹脂板
４  面ファスナー雄
５  裏面に面ファスナー雄が固着された研磨シート
６  円柱状パット
７  粘着式研磨シート
【図１】
0003140399.tif 000003
【図２】
0003140399.tif 000004
【図３】
0003140399.tif 000005
【図４】
0003140399.tif 000006
(57)【要約】      （修正有）【課題】結び玉を無くし狭いところでも楽に通しやすくした、針にさして通すゴム紐通しの提供。【解決手段】ゴム紐を通す時、結び玉をつくらないで通せるように、ゴム紐通し棒のゴムを入れる穴の後方に針をつけ、針にゴムをさして通しやすくした。【選択図】図１
0003140392.tif 000002
【実用新案登録請求の範囲】
【請求項１】
ゴム紐通し棒の後方のゴム紐を入れる穴に、針ようの尖ったものをつけて、そこにゴム紐をさすことによって、ゴム紐が穴からはずれない為、通しやすくなることを特徴とする、ゴム紐通し棒
【考案の詳細な説明】
【技術分野】
【０００１】  本考案はプラスチックス等で出来たゴム紐通し棒の後方の穴に針ようのものをつけた、ゴム紐通しに関するものである
【背景技術】
【０００２】  ゴム紐通し棒に結び玉があると、狭いところが通しにくい
【考案の開示】
【考案が解決しようとする課題】
【０００３】  従来のゴム紐通し棒はゴム紐を通す時、棒の後方の穴にゴムを入れ結んで通してていくが、結び玉の為に通りにくい時があるので、その欠点を解決しようとするものである
【課題を解決するための手段】
【０００４】  本考案はゴム紐通しの棒の後方の穴に針ようの尖ったものをつけ、そこにゴムやひもをさして結び玉をつくらないで通すようにすることで問題点を解決している
【考案の効果】
【０００５】  上述の様に結び玉をつくらないので、狭いところでも楽に通すことができる
【考案を実施するための最良の形態】
【０００６】  プラスチックス等で出来たゴム紐通しの棒の穴の後方に針ようのものをつけ、ゴム紐をさして通す為ゴムの結び玉を作らないで使用出来る
【実施例】
【０００７】  添付図面に従って実施例を説明する。１はプラスチックス等で形成されたゴム紐通し棒本体、２はゴム紐を入れる為の穴、３は穴の後方につけた針ようのもの、この穴にゴム紐をさして使用する
【図面の簡単な説明】
【０００８】
【図１】  本考案のゴム紐通し棒の正面図
【図２】  本考案のゴム紐通し棒の側面図
【符号の説明】
【０００９】  １  ゴム紐通し棒本体
２  ゴム紐を入れる為の穴
３  ゴム紐をさす為の針
４  棒の先方
５  棒の後方
【図１】
0003140392.tif 000003
【図２】
0003140392.tif 000004
(57)【要約】      （修正有）【課題】陶器やガラスに入れた食品をターンテーブルの上に乗せた時すべらず、陶器やガラスとターンテーブルが割れにくい電子レンジ加熱用補助プレートを提供する。【解決手段】プレート本体１に、楕円形の空洞２を設ける。表面をすべり止め加工することで、プレート本体１の上に陶器やガラスの器に入れた食品４を乗せると、すべらず、割れにくい。【選択図】図１
0003140398.tif 000002
【実用新案登録請求の範囲】
【請求項１】
プレートに穴を開けたことを特徴とする食品加熱用補助プレート。
【請求項２】
プレート表面をすべり止め加工したことを特徴とする請求項１記載の食品加熱用補助プレート。
【考案の詳細な説明】
【技術分野】
【０００１】  この考案は、食品の加熱に用いるプレートの形状に関する。
【背景技術】
【０００２】  従来の電子レンジで加熱する時は、図２に示すように、ターンテーブルの上に食品を乗せて温めていたものである。
【考案の開示】
【考案が解決しようとする課題】
【０００３】  しかしながら、以上の技術によれば、陶器やガラスに入れた食品をターンテーブルの上に乗せた時すべりやすく、また陶器やガラスとターンテーブルが割れやすかった。
そこで、この考案は、陶器やガラスがすべらず、割れにくいプレートを提供することを課題とする。
【課題を解決するための手段】
【０００４】  以上の課題を解決するために、第一考案は、プレートに穴を開けたことを特徴とする食品加熱用補助プレート。
また、第二考案は、プレート表面をすべり止め加工することを特徴とする食品加熱用補助プレートである。
【考案の効果】
【０００５】  第一考案、または第二考案によれば、プレートに楕円形の空洞を開けたこと、プレート表面をすべり止め加工することにより、陶器やガラスがすべらず、割れにくい。
【考案を実施するための最良の形態】
【０００６】  この考案の一実施形態を、図１に示す。
プレートの本体１はポリエチレン製であり、この本体１の面には、楕円形の空洞２が等間隔に設けられている。また表面をすべり止め加工している。【０００７】「実施形態の効果」
この実施形態によれば、陶器やガラスに入れた食品をターンテーブルの上に乗せた時すべりにくく、陶器やガラスとターンテーブルが割れにくい。また食品を２段置きにする時、間に挟めばや食品が置きやすい。【０００８】「他の実施形態」
図１の実施形態では、プレート本体の形状は円形であったが、他の実施形態では、プレート本体の形状を四角形にしたものでも良い。
【図面の簡単な説明】
【０００９】
【図１】この考案の一実施形態を示す斜視図である。
【図２】従来技術を示す斜視図である。
【符号の説明】
【００１０】１  プレート本体      ２  楕円形の空洞      ３  ターンテーブル      ４  食品
【図１】
0003140398.tif 000003
【図２】
0003140398.tif 000004
(57)【要約】      （修正有）【課題】切れ味の落ちたブレードの交換・折刃時期を容易に知ることができる切れ味指標機能付き刃物を提供する。【解決手段】切れ味指標機能付き刃物１の刃部２の表面に、該刃部の地肌と区別することができる塗料、有色メッキ等のコーティング層３を被着させることで、切れ味指標機能付き刃物を使用するに連れて、刃部２が先端から摩耗したり刃部２表面のコーティング層３が擦られたりして、コーティング層３が徐々に剥がれていく。そのコーティング層３の色の変化で、切れ味の落ちた刃部の交換・折刃時期を容易に知ることができる。【選択図】図２
0003140400.tif 000002
【実用新案登録請求の範囲】
【請求項１】
刃部の表面に該刃部の地肌と区別することができる塗料、有色メッキ等のコーティング層を被着させることで刃部が使用され摩耗した場合に前記コーティング層が剥がれ落ちて刃部の摩耗の程度を視認可能とすることを特徴とする切れ味指標機能付き刃物。
【請求項２】
コーティング層は刃部の酸化を防止する機能を備えることを特徴とする請求項１記載の切れ味指標機能付き刃物。
【請求項３】
コーティング層を刃部の両面に被着させたことを特徴とする請求項１又は２記載の切れ味指標機能付き刃物。
【考案の詳細な説明】
【技術分野】
【０００１】  本考案は、使い捨て・使いっきりのカミソリや、刃折れ溝を有するブレードを用いる折る刃式、ブレードを交換することができる替刃式のカッターナイフ等の研ぐことのない刃物に関するものである。
【背景技術】
【０００２】  従来、安全カミソリ、替え刃式のカミソリ、繰り出し式のカッターナイフ等の刃物は、刃の切れ味が落ちたら、使用した刃を新しい刃に取り替えたり、刃を折って次の刃を繰り出したりすることで切れ味のよい新しい刃として使用するものであり、刃を研ぐことなくなく容易に切れ味を回復させることができることから便宜で広く普及している（特許文献１参照）。
【特許文献１】実開平６−６６５７０号公報
【考案の開示】
【考案が解決しようとする課題】
【０００３】  しかしながら、上述した従来のカッターナイフ等の刃物は、使用するに従い次第に刃部の切れ味が少しずつ落ちてくるものであり、それに従って刃物の操作に余分な力を要してしまい、そのことで思わぬ事故が生じることがあった。そのため、切れ味が落ちた刃部を適切に交換することが求められている。しかしながら、刃の切れ味という感覚は数値化したり目視したりすることができないことから、刃部の交換を適切に行うことは困難であった。【０００４】  そこで本考案にあっては、上述した課題を解決すべく、切れ味の落ちた刃部の交換・折刃時期を容易に知ることができる切れ味指標機能付き刃物の提供を目的とする。
【課題を解決するための手段】
【０００５】  上記目的を達成するため、本考案の切れ味指標機能付き刃物は、刃部の表面に該刃部の地肌と区別することができる塗料、有色メッキ等のコーティング層を被着させることで刃部が使用され摩耗した場合に前記コーティング層が剥がれ落ちて刃部の摩耗の程度を視認可能とすることを特徴とする。【０００６】  また、コーティング層は刃部の酸化を防止する機能を備えることを特徴とする。【０００７】  また、コーティング層を刃部の両面に被着させたことを特徴とする。
【考案の効果】
【０００８】  本考案の切れ味指標機能付き刃物によれば、刃部の表面に該刃部の地肌と区別することができる塗料、有色メッキ等のコーティング層を被着させることで刃部が使用され摩耗した場合に前記コーティング層が剥がれ落ちて刃部の摩耗の程度を視認可能とすることで、刃物を使用するに連れて、その刃部が先端から摩耗してくるとともに、刃部表面のコーティング層が擦られて刃部先端から徐々に剥がれてくる。このコーティング層の剥がれ具合で刃部の使用度合い・摩耗度合いがある程度わかることから、刃部の交換時期を確認することができる。【０００９】  また、コーティング層は刃部の酸化を防止する機能を備えることで、刃物を長期間使用しない場合や、未使用の刃部分について刃先を酸化・錆から保護して切れ味を維持することができる。【００１０】  また、コーティング層を刃部の両面に被着させることで、刃のどちらの面から見てもコーティング層の剥がれ具合を視認することができるので、その度合いで刃部の切れ味が落ちたことを確認して刃部の交換を適切に行うことができる。
【考案を実施するための最良の形態】
【００１１】  図１は、本考案の切れ味指標機能付き刃物１を示し、この切れ味指標機能付き刃物１は、刃物を研磨して刃付した刃部２の表面に、塗料を塗着したり、有色メッキを施したりしてコーティング層３を形成している。このコーティング層３は、刃部２の地肌と区別することができる色や表面仕上げであれば、どのような色、光沢であってもよいものである。【００１２】  このコーティング層３は、鋼などの酸化する刃物の刃先が空気に触れないように被着することで、刃部２を酸化・錆から保護している。【００１３】  図２は、本考案の切れ味指標機能付き刃物１のコーティング層３の変化する様子を表したもので、（Ａ）は未使用の状態、（Ｂ）はある程度使用した状態を示している。切れ味指標機能付き刃物１を使用するにしたがい、徐々に刃部２が先端から摩耗してくるとともに、刃部２表面のコーティング層３が擦られて刃部２先端から徐々に剥がれてくる。そして、コーティング層３が剥がれて刃部２の先端から刃部２の地肌が表れて、コーティング層３と地肌の境がギザギザ模様となることから、その程度を見て刃部２の切れ味が落ちていることが確認することができる。そして切れ味が落ちたと判断した刃部２を、折る刃式のカッターナイフの場合は折り、替刃式の刃物の場合には交換するものである。【００１４】  図３は、片刃（Ａ）と、両刃（Ｂ）を表しており、どちらの場合でもその刃部にコーティング層を形成すればよく、また片刃であっても両面にコーティング層を形成してもよいものである。【００１５】  尚、上述した実施例にあっては、コーティング層は刃先のみに形成する場合について説明したが、勿論これに限定されることはなく、刃物全体にコーティング層を形成してもよいものである。
【図面の簡単な説明】
【００１６】
【図１】本考案の切れ味指標機能付き刃物を示す断面図である。
【図２】本考案の切れ味指標機能付き刃物の斜視図であり、（Ａ）は未使用状態、（Ｂ）は使用した状態を示している。
【図３】本考案の切れ味指標機能付き刃物を示す説明図である。
【符号の説明】
【００１７】  １  切れ味指標機能付き刃物
２  刃部
３  コーティング層
【図１】
0003140400.tif 000003
【図２】
0003140400.tif 000004
【図３】
0003140400.tif 000005
(57)【要約】      （修正有）【課題】病人が自分で水洗トイレで用をたせるユニット型洋式水洗トイレを提供する。【解決手段】ユニット型洋式水洗トイレは簡単に病人の部屋に設置することが出来る為に水洗トイレをユニット型にした。ユニット型洋式水洗トイレの上と下に洗浄管を取り付けた。つまりぎみのときはＢバルブに切り替えて下から放水すると、強力排水用浮子が浮上して蓋をするので強力に排水できる。【選択図】図１
0003140347.tif 000002
【実用新案登録請求の範囲】
【請求項１】
病人が自分で排便、排尿が出来ることを目的とした水洗トイレをユニット型にしたところを特徴とするユニット型水洗トイレ。
【考案の詳細な説明】
【技術分野】
【０００１】病人が自分で排便、排尿が出来る水洗トイレとする。
【背景技術】
【０００２】水洗トイレをユニット型にする事で病人の近くに設置することが出来る。
【考案の開示】
【考案が解決しょうとする課題】
【０００３】病人が水洗トイレで用をたせる様にする。
【課題が解決する為の手段】
【０００４】水洗トイレをユニット型にすることで容易に設置することが出来る。
【考案の効果】
【０００５】病人が自分で排便、排尿が出来清潔感がたもたれる。
【考案の実施するための最良の形熊】
【０００６】一体型のケースに便座の部分をはめこみ配管がない場合はジャバラ管で水を引き、排水はホースで汚水ますに流す。又は家庭用便器の配管を変える。
【実施例】
【０００７】以下添付図面に従って一実施例を説明する。
１．は耐久性のプラスチック等適宜素材にて一体化形成された便座を組込む本体、２は便座の部分、３は洗浄水の管  ４．は強力排水用浮子、５は排管、６は洗面器
【図面の簡単な説明】
【０００８】
【図１】ユニット型水洗トイレの全体図
【符号の説明】
１．便座を組込む本体
２．便座
３．洗浄管
４．強力排水用浮子
５．排管
６．洗面器
７．Ａ、Ｂバルブ
８．オーバフロー用浮子
９．オーバフロー防止コック
１０．蓋
１１．浮子ストッパー
【図１】
0003140347.tif 000003
【手続補正書】
【提出日】平成19年7月25日(2007.7.25)
【手続補正１】
【補正対象書類名】実用新案登録請求の範囲
【補正対象項目名】全文
【補正方法】変更
【補正の内容】
【実用新案登録請求の範囲】
【請求項１】
水のタンクを使用しない為に強力排水用浮子を取付ける事により水洗トイレをユニット型にしたところを特徴とするユニット型水洗トイレ。
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
ユニット型洋式水洗トイレの上、下に放水管を付け強力排水用浮子を取り付ける事により、つまりぎみの時は下から放水する事により強力排水用浮子が浮上して蓋になり強力に排水するところを特徴としたユット型水洗トイレ。
【手続補正書】
【提出日】平成19年12月14日(2007.12.14)
【手続補正１】
【補正対象書類名】実用新案登録請求の範囲
【補正対象項目名】全文
【補正方法】変更
【補正の内容】
【実用新案登録請求の範囲】
【請求項１】
ユニット型の洋式水洗トイレの上と下に洗浄管を取り付けた事を特微としたユニット型洋式水洗トイレ．
(57)【要約】      （修正有）【課題】靴内部の清潔を保つ事による衛生環境と健康の保持する靴の中敷き専用ソックスの提供。【解決手段】靴の中敷きをソックス形式にて全体を包む中敷き専用のカバーにより着脱が簡単になりカバーの交換に時間と手数を要せず靴を清潔に保ち環境衛生と健康を実現する。【選択図】図１
0003140345.tif 000002
【実用新案登録請求の範囲】
【請求項１】
靴の中敷き全体をソックス形式に包む中敷き専用のカバー。
【請求項２】
中敷き専用のカバーがソックス形式のため着脱が簡単であるため靴を清潔に保ち環境衛生と健康に貢献する。
【考案の詳細な説明】
【技術分野】
【０００１】本考案は靴の中敷を清潔に保つ事により足の環境衛生と健康に貢献するものである。
【背景技術】
【０００２】接着、表面部を覆う等、着脱の時間と手間を要した。
【考案が解決しようとする課題】
【０００３】簡単な着脱により靴を清潔に保ち衛生環境と健康を保持する。
【課題を解決する為の手段】
【０００４】本考案は靴の中敷きをソックス形式のカバーにより包み込み着脱を簡単にし通常使用するソックスと同様、洗濯により清潔にて何度でも使用でき足の衛生環境と健康を保持できる。
【考案の実施形態】
【０００５】考案の実施形態について図面を参照に説明する。
図１はソックス形式のカバーである、図２は中敷きにカバーを被せた表面である、図３は中敷きにカバーを被せた裏面であり簡単に着脱できる。
【考案の効果】
【０００６】本考案は着脱簡単なソックス形式のカバーにて発汗等にて汚れたカバーを随時交換し清潔な環境が保てる。
【図面の簡単な説明】
【０００７】
【図１】図１はソックス形式の中敷カバーである．
【図２】本発明ソックス形式の中敷ケースを中敷本体にかぶせた表面である．
【図３】本発明ソックス形式の中敷ケースを中敷にかぶせた裏面である．
【図１】
0003140345.tif 000003
【図２】
0003140345.tif 000004
【図３】
0003140345.tif 000005
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
靴の中敷き全体をソックス形式に包む、靴の中敷き専用ソックス。
【請求項２】
中敷きがソックス形式のため着脱が簡単で靴を清潔に保ち靴内部に発生する雑菌による悪臭を防止し環境衛生に貢献し今日主流となった素足によるシューズの使用から足の皮膚を守り健康に貢献する。
【手続補正書】
【提出日】平成19年9月7日(2007.9.7)
【手続補正１】
【補正対象書類名】実用新案登録請求の範囲
【補正対象項目名】全文
【補正方法】変更
【補正の内容】
【実用新案登録請求の範囲】
【請求項１】
靴の中敷き全体をソックス形式に包む、靴の中敷き専用ソックス。
【請求項２】
中敷きがソックス形式にて先端指先部と踵部は中敷きの形状に密着するよう半円形とし土踏まず部を細くする事によりずれを防ぎ、着脱が簡単にできるよう入り口部は円形とする。
【手続補正書】
【提出日】平成19年12月18日(2007.12.18)
【手続補正１】
【補正対象書類名】実用新案登録請求の範囲
【補正対象項目名】全文
【補正方法】変更
【補正の内容】
【実用新案登録請求の範囲】
【請求項１】
先端指先部と踵部を半円系とし全体の形状を瓢箪型にて靴の中敷き全体をソックス形式に包む靴の中敷き専用ソックス。
【請求項２】
中敷きがソックス形式にて先端指先部と踵部は中敷きの形状に密着するよう半円形とし土踏まず部を細くする事によりずれを防ぎ、着脱が簡単にできるよう入り口部は円形であることを特徴とする請求項１に記載の靴の中敷き専用ソックス。
(57)【要約】      （修正有）【課題】通常時には給水管の役割を果たしており、災害時の断水の場合には貯水タンクの役割をはたす強化され壊れにくい貯水タンクを提供する。【解決手段】二次側給水管の間に給水管代わりのタンク１を設け、両端３と４の逆止弁と５の給水栓及び６の吸気弁を設け全体をスチールファイバー入りコンクリート２で保護一体化して衝撃による漏水にも耐えるため、災害時対策用強化飲料水貯水タンクとしての機能を果たしライフラインに大いに役立つ。【選択図】図１
0003140350.tif 000002
【実用新案登録請求の範囲】
【請求項１】
上水道の二次側給水管の間に設置する貯水タンクであり、通常に上水道を使用すれば必ずタンクの水が入れ替わり常に新しい水を貯水でき、災害時等、水の供給が断たれた場合、当該タンクの水を、飲料水等に使用できることを特徴とする災害時対策用強化飲料水貯水タンク。
【請求項２】
貯水タンクを保護コンクリートで囲むことにより強化され、震災時の家屋及び構造物の崩壊での衝撃に耐え、災害時の断水時には漏水もなく災害時対策用強化飲料水貯水タンクとしての役割を果たす。
【考案の詳細な説明】
【技術分野】
【０００１】  本考案は、災害対策用の上水道二次側に設ける崩壊率の少ない強化された飲料水貯水タンクに関するものである。
【背景技術】
【０００２】  住宅、事務所等において災害で上水道の供給が断たれた場合、飲料水は給水を待つか支援の配給を待ち、飲料水を保存しておいたとしても家屋及び構造物の崩壊において使用不可能になっていた。
【考案の開示】
【考案が解決しようとする課題】
【０００３】  災害時、上水道の復旧に長時間を要し、支援の飲料水配給がなされるにも長時間を要するため、飲料水を入手するにも大変な労力を有することと、保存水も家屋や構造物等の崩壊により使用不可能にならず、飲料水が供給されるまでの期間の新鮮な飲料水確保を住宅等で解決しようとするものである。
【課題を解決するための手段】
【０００４】  本考案は、二次側給水管の間に給水管代わりのタンクを設け、両端に逆止弁と下端に給水栓を設け、非常時には内部の新鮮な上水の貯水確保となり、給水栓の開閉により給水することができ飲料水確保の問題点を解決している。
尚且つ、家屋や構造物等の崩壊により給水タンクが潰され使用不可能にならないように貯水タンクをコンクリートで保護して問題点を解決する。
【考案の効果】
【０００５】  上述の様に、本考案の災害時対策用強化飲料水貯水タンクは、上水を通過させるだけでなく突然の断水時にも常時入れ替わって貯水された新鮮な上水の確保ができ、コンクリートにより強化された貯水タンクも家屋や構造物等の崩壊により潰れずに使用でき、幾人が幾日か飲料水を飲み支援及び復旧までのライフラインとして役立つ。
【考案の実施するための最良の形態】
【０００６】  地面に据付用モルタルを布設し、工場製作されたコンクリートで保護され転倒しにくい台形の災害時対策用強化飲料水貯水タンクを二次側給水管の間に設置し、それに一次側からと二次側の給水管と結び、逆止弁により入水と出水の逆流されずに貯水されている新鮮な上水を給水栓から使用することができる。
【実施例】
【０００７】  以下、添付図に従って一実施例を説明する。１は耐食性に強い塩化ビニール素材で一体化された貯水タンク本体、２は衝撃に強いスチールファイバー入りコンクリート素材で一体化し１を強固にして物の崩壊により壊れにくく、２のコンクリートを台形にすることにより転倒の可能性も低くしている。【０００８】  ３と４の逆止弁もコンクリートで一体化されているため、８と９の配水管が壊れても水漏れが生じず、６の吸気弁を開き５の給水栓により給水が可能となる。【０００９】  本考案の一実施例は上述の如き構成からなるものであるから、１を通常時の給水管と使用することは勿論であるが、災害時の断水の貯水タンクとして使用することができる。
【図面の簡単な説明】
【００１０】
【図１】本考案の災害時用強化飲料水貯水タンクの一部切欠正面図である。
【図２】本災害時用強化飲料水貯水タンクの一部切欠断面図である。
【図３】本災害時用強化飲料水貯水タンクの一部切欠平面図である。
【符号の説明】
【００１１】  １    塩化ビニール貯水タンク
２    タンク保護コンクリート
３    給水逆止弁
４    出水逆止弁
５    給水栓
６    吸気弁
７    据付吊り金具
８    給水配管
９    出水配管
１０    据付モルタル
【図１】
0003140350.tif 000003
【図２】
0003140350.tif 000004
【図３】
0003140350.tif 000005
【手続補正書】
【提出日】平成19年12月6日(2007.12.6)
【手続補正１】
【補正対象書類名】実用新案登録請求の範囲
【補正対象項目名】全文
【補正方法】変更
【補正の内容】
【実用新案登録請求の範囲】
【請求項１】
上水道の二次側給水管の間に設置する貯水タンクであり、通常に上水道を使用すれば必ずタンクの水が入れ替わり常に新しい水を貯水でき、災害時等、水の供給が断たれた場合、当該タンクの水を、飲料水等に使用できることを特徴とし、貯水タンクを保護コンクリートで囲むことにより強化され、震災時の家屋及び構造物の崩壊での衝撃に耐え、災害時の断水時には漏水もなく使用できる災害時対策用強化飲料水貯水タンク。
(57)【要約】      （修正有）【課題】見ただけでピアノ鍵盤を押さえる位置が確認できる譜面を印刷した用紙を提供する。【解決手段】全音関係にある白鍵と白鍵の間を実線、半音関係にある白鍵と白鍵の間を点線で表し、前記実線と前記点線が縦に記載され、１オクターブの間で、５つの前記実線と２つの前記点線の七線譜で記載された譜面を印刷した用紙。【選択図】図１
0003140386.tif 000002
【実用新案登録請求の範囲】
【請求項１】
全音関係にある白鍵と白鍵の間と、半音関係にある白鍵と白鍵の間をそれぞれ異なる線種で表した譜面。
【請求項２】
全音関係にある白鍵と白鍵の間を実線、半音関係にある白鍵と白鍵の間を点線で表したことを特徴とする請求項１に記載の譜面。
【請求項３】
前記実線と前記点線が縦に記載された請求項２に記載の譜面。
【請求項４】
1オクターブの間で、５つの前記実線と２つの前記点線の七線譜で記載された請求項２又は３に記載の譜面。
【考案の詳細な説明】
【技術分野】
【０００１】
本考案は音楽を表現するための鍵盤楽器の楽譜に関するものである。本考案を実施する際に望ましい楽器はピアノであるが、楽譜の読み方を理解すれば、その他の楽器を演奏する際でも使用できる。
【背景技術】
【０００２】
従来は音楽を表現するために五線譜が使われてきた。五線譜はピアノを含めたすべての楽器の音階を表す表現であると思われるが、ある一定の学習と訓練をした者でしか、五線譜を活用するのは困難であった。
【考案の開示】
【考案が解決しようとする課題】
【０００３】
従来の五線譜ではピアノから五線譜へ、五線譜からピアノへと思考を変えなければいけなかった。そのため、ただピアノを弾いてみたい音楽初心者は、五線譜が読めないだけで音楽の道を断念してしまうという傾向があった。そのために、音楽が好きなのに音楽の演奏の世界には高い壁があり、演奏の世界に入り込むことができない人々が数多くいると思われる。
【課題を解決するための手段】
【０００４】
ピアノの鍵盤を見たままに七線譜で表す。そのことによりピアノの音階と、七線譜の音階が同時に確認でき、七線譜を見ただけでピアノ鍵盤を押さえる位置が確認できる。
【考案の効果】
【０００５】
特別な知識が無くてもピアノを弾くことができる。より詳しく楽譜を読む際には音符の知識などが必要であるが、音符の表記の位置が正確であれば音楽の知識が無い人でもピアノを弾くのが可能である。
作曲の際でも、ピアノから直接楽譜へと表現を移せる。従来の五線譜では、ピアノと五線譜の関係を理解していないと五線譜の表記は困難であったが、七線譜を使うことにより、ピアノの鍵盤を押さえた位置を書き込むだけでメロディを表記することができ、従来の五線譜のものより早く確実に作曲をすることができる。
【考案を実施するための最良の形態】
【０００６】
鍵盤楽器の音階を７つの線で表した七線譜。７つの線は鍵盤の位置を表す。全音関係にある白鍵と白鍵の間を実線、半音関係にある白鍵と白鍵の間を点線にした七線譜。または色違いにした七線譜。七線譜の線は縦に使う。そのことによって鍵盤楽器の鍵盤と照らし合わせやすくしている。鍵盤楽器の白鍵盤上の音符は線の間にえがかれ、黒鍵盤上の音符は実線上にえがかれる。譜面にする場合、七線譜を12行並べて印刷をする。12行並べることにより、１，２，３，４，６，１２の数で割ることができる。そのことにより、音域の広い曲でも音域の狭い曲でも同一も鍵盤上であれば表現することが可能であり、簡単な音楽から複雑な音楽の表現に利用できる。また、他の楽器を組み合わせた楽譜にする際でも、多くの数で割れるというのは利点がある。
【実施例】
【０００７】
七線譜を使った七線紙を作りノートとして売る。
【０００８】
七線譜を使った楽譜を本として売る。
【産業上の利用可能性】
【０００９】
ピアノを弾けない初心者でもピアノを弾くことができることにより、ピアノが普及する。また七線譜を使った楽譜が売り出されることにより表現が変わり、ピアノを弾く人口が増える。
【図面の簡単な説明】
【００１０】
【図１】音階と実線、点線の組み合わせを表した図。
【図２】実際の譜面の例。
【図３】「きよしこの夜」の記譜の例。
【符号の説明】
【００１１】
１    鍵盤楽器の白鍵と黒鍵の位置を表した図
２    全音関係にある白鍵と白鍵の間の実線
３    半音関係にある白鍵と白鍵の間の点線
４    拍子記号
５    音階の移動を補助する矢印
６    付点８分音符
７    １６分音符
８    ８分音符
９    付点４分音符
１０  付点２分音符
１１  ４分音符
１２  同一の鍵盤であることを表す線
１３  小節を表す線
１４  終わりを表す線
１５  鍵盤を一つ増やす線
【図１】
0003140386.tif 000003
【図２】
0003140386.tif 000004
【図３】
0003140386.tif 000005
【手続補正書】
【提出日】平成20年1月8日(2008.1.8)
【手続補正１】
【補正対象書類名】実用新案登録請求の範囲
【補正対象項目名】全文
【補正方法】変更
【補正の内容】
【実用新案登録請求の範囲】
【請求項１】
全音関係にある白鍵と白鍵の間と、半音関係にある白鍵と白鍵の間をそれぞれ異なる線種で表した譜面を印刷した用紙。
【請求項２】
全音関係にある白鍵と白鍵の間を実線、半音関係にある白鍵と白鍵の間を点線で表したことを特徴とする請求項１に記載の譜面を印刷した用紙。
【請求項３】
前記実線と前記点線が縦に記載された請求項２に記載の譜面を印刷した用紙。
【請求項４】
1オクターブの間で、５つの前記実線と２つの前記点線の七線譜で記載された請求項２又は３に記載の譜面を印刷した用紙。